(57)【特許請求の範囲】
【請求項１】
分電盤内に配設されて負荷の使用電力を検出する電力検出手段と、分電盤とは別に配設される表示器とを備え、前記表示器は、電力検出手段により検出された使用電力を積算して積算電力量を求める積算手段と、使用電力の目標値とする目標電力及び積算電力量の目標値とする目標積算電力量を記憶する記憶部と、電力検出手段により検出された使用電力及び積算手段により求められた積算電力量及び前記目標電力及び前記目標積算電力量を表示可能な表示部とを有するとともに、現在日時の管理を行う時計部と、時計部の出力に基づいて積算手段の積算開始時点から１ヶ月経過毎に積算電力量をリセットさせる処理手段とを備え、前記処理手段は、積算手段で求められた積算電力量を１ヶ月単位で記憶部に記憶させるとともに、記憶部に記憶された過去の積算電力量を表示部に適宜表示させ、また、記憶部に少なくとも過去１年間の積算電力量を月毎に記憶させ、積算手段をリセットさせる際に、電力検出開始後１年未満のときには前１ヶ月間の積算電力量がリセット後の目標積算電力量として設定され、電力検出開始後１年以上のときには前年同月の積算電力量がリセット後の目標積算電力量として設定されることを特徴とする電力監視システム。
【請求項２】
前記表示器は、目標電力及び目標積算電力量を設定する設定手段が設けられてなることを特徴とする請求項１記載の電力監視システム。
【請求項３】
前記表示器は、使用電力と目標電力とを表示部へ同時に表示する電力表示モードと、積算電力量と目標積算電力量とを表示部へ同時に表示する積算電力量表示モードとを有し、電力表示モードと積算電力量表示モードとを選択する選択手段を備えることを特徴とする請求項１または請求項２記載の電力監視システム。
【請求項４】
前記表示器は、目標積算電力量に対する積算電力量の割合及び積算電力量を表示部へ同時に表示する割合表示モードを有し、前記選択手段は、割合表示モードを選択可能であることを特徴とする請求項３記載の電力監視システム。
【請求項５】
前記処理手段は、時計部の出力に基づいて前年同月の積算電力量から求めた１時間当たりの電力量に前年同月の同日同時間までの時間を乗じた値を積算目安電力量として求める演算手段を備え、演算手段により求められた積算目安電力量を目標積算電力量として表示部へ表示させることを特徴とする請求項１乃至請求項４のいずれかに記載の電力監視システム。
【請求項６】
前記表示器は、使用電力が目標電力を越えた状態、積算電力量が目標積算電力量を越えた状態の少なくとも一方の状態になると外部へ報知する報知部が設けられてなることを特徴とする請求項１乃至請求項５のいずれかに記載の電力監視システム。
【発明の詳細な説明】
【０００１】
【発明の属する技術分野】
本発明は、分電盤の外部に配設された表示器で負荷の使用電力及び積算電力量を表示する電力監視システムに関するものである。
【０００２】
【従来の技術】
一般の電力量計は、電気事業者が需要家の一軒当たりの積算電力を検出するために用いられている。この種の積算電力計は戸外に設置されていることが多く、使用者にとっては使用電力を確認するために戸外に出るのは面倒であるから、最近では分電盤に内蔵するための電力計も提案されている。
【０００３】
また、特開平１１−２２５４４２号公報には、太陽電池を用いて発電する分散電源と商用電源との系統連係を行い、分電電源で発電した電力に余剰が生じるときに商用電源側に売電が行われる太陽光発電システムにおいて、分電盤とは別に配設した表示器に負荷での使用電力を表示させることが開示されている。
【０００４】
【発明が解決しようとする課題】
ところで、上記公報に開示されたものでは、負荷の使用電力を屋内で確認することができるという利点があるが、使用電力が多すぎるか否かを需要家が判別するのが難しいという不具合があった。
【０００５】
本発明は上記事由に鑑みて為されたものであり、その目的は、負荷の使用電力や積算電力量が多いか否かを需要家が容易に判別することができる電力監視システムを提供することにある。
【０００６】
【課題を解決するための手段】
請求項１の発明は、上記目的を達成するために、分電盤内に配設されて負荷の使用電力を検出する電力検出手段と、分電盤とは別に配設される表示器とを備え、前記表示器は、電力検出手段により検出された使用電力を積算して積算電力量を求める積算手段と、使用電力の目標値とする目標電力及び積算電力量の目標値とする目標積算電力量を記憶する記憶部と、電力検出手段により検出された使用電力及び積算手段により求められた積算電力量及び前記目標電力及び前記目標積算電力量を表示可能な表示部とを有することを特徴とするものであり、表示器を分電盤とは別に屋内に配設すれば使用電力及び積算電力量及び目標電力及び目標積算電力量を屋内で視認することができるので、需要家がリアルタイムで使用電力と目標電力とを比較したり、積算電力量と目標積算電力量とを比較することができ、使用電力や積算電力量がそれぞれの目標値に対して多いか否かを需要家が容易に判別することができる。
また、請求項１の発明は、前記表示器が、現在日時の管理を行う時計部と、時計部の出力に基づいて積算手段を積算開始時点から１ヶ月経過毎に積算電力量をリセットさせる処理手段とを備えるので、１ヶ月単位での積算電力量を需要家が簡単に知ることができる。
また、請求項１の発明は、前記処理手段が、積算手段で求められた積算電力量を１ヶ月単位で記憶部に記憶させるとともに、記憶部に記憶された過去の積算電力量を表示部に適宜表示させるので、１ヶ月単位での過去の積算電力量を表示部に表示することができるから、積算電力量に関して現在の月と過去の月との比較を需要家が容易に行うことができる。
また、請求項１の発明は、前記処理手段が、記憶部に少なくとも過去１年間の積算電力量を月毎に記憶させ、積算手段をリセットさせる際に、電力検出開始後１年未満のときには前１ヶ月間の積算電力量がリセット後の目標積算電力量として設定され、電力検出開始後１年以上のときには前年同月の積算電力量がリセット後の目標積算電力量として設定されるので、前月の積算電力量又は前年同月の積算電力量を当月の積算電力量の目安とすることができる。
【０００７】
請求項２の発明は、請求項１の発明において、前記表示器は、目標電力及び目標積算電力量を設定する設定手段が設けられているので、目標電力及び目標積算電力量を需要家が適宜設定することができる。
【０００８】
請求項３の発明は、請求項１または請求項２の発明において、前記表示器は、使用電力と目標電力とを表示部へ同時に表示する電力表示モードと、積算電力量と目標積算電力量とを表示部へ同時に表示する積算電力量表示モードとを有し、電力表示モードと積算電力量表示モードとを選択する選択手段を備えるので、使用電力と目標電力とが同時に表示され、また、積算電力量と目標積算電力量とが同時に表示されるので、目標値と実績との比較が容易になる。
【０００９】
請求項４の発明は、請求項３の発明において、前記表示器は、目標積算電力量に対する積算電力量の割合及び積算電力量を表示部へ同時に表示する割合表示モードを有し、前記選択手段は、割合表示モードを選択可能なので、選択手段により割合表示モードが選択されることで、表示部へ目標積算電力量に対する積算電力量の割合及び積算電力量が表示されるから、現在の積算電力量が目標積算電力量に対してどの位に達しているのか需要家が容易に判別することができる。
【００１５】
請求項５の発明は、請求項１乃至請求項４の発明において、前記処理手段は、時計部の出力に基づいて前年同月の積算電力量から求めた１時間当たりの電力量に前年同月の同日同時間までの時間を乗じた値を積算目安電力量として求める演算手段を備え、演算手段により求められた積算目安電力量を目標積算電力量として表示部へ表示させるので、例えば現在日時が４月３日午後３時の場合には、前年の４月１日から４月３日午後３時までの積算目安電力量が目標積算電力量として表示されるから、現在時点での積算電力量と目標積算電力量との比較が容易になる。
【００１６】
請求項６の発明は、請求項１乃至請求項５の発明において、前記表示器は、使用電力が目標電力を越えた状態、積算電力量が目標積算電力量を越えた状態の少なくとも一方の状態になると外部へ報知する報知部が設けられているので、使用電力が目標電力を越えた状態、積算電力量が目標積算電力量を越えた状態の少なくとも一方の状態になると報知部による報知が行われるから、使用電力や目標積算電力量がそれぞれの目標値を越えたことを需要家が容易に認識することができ、需要家が省エネルギ化を推進しやすくなる。
【００１７】
【発明の実施の形態】
本実施形態の電力監視システムは、図３に示すように、単相３線の商用電源（図示せず）から電流制限器（以下、リミッタと称す）１１及び導電ブレーカよりなる主幹ブレーカ１２を介して接続されている電圧線Ｌ１，Ｌ２及び中性線Ｎに中継端子台１４を介して電力検出手段たる電力検出器２０を接続している。また、電力検出器２０には３芯ケーブル（例えば、ＣＰＥＶ用３芯ケーブル、ＡＥ用３芯ケーブルなど）１５を介して表示器３０が接続されている。リミッタ１１は需要家の負荷電流を電力会社との間の契約値以下に制限するために設けられたブレーカである。主幹ブレーカ１２と中継端子台１４との間においては、電圧線Ｌ１・中性線Ｎ間および電圧線Ｌ２・中性線Ｎ間に、それぞれ分岐ブレーカ１３を介して複数の分岐回路が接続されている。すなわち、分岐ブレーカ１３を介して負荷への電源が供給される。
【００１８】
リミッタ１１、主幹ブレーカ１２、分岐ブレーカ１３、中継端子台１４、電力検出器２０は分電盤（住宅盤）１に収納され、表示器３０は分電盤１とは別に屋内に設置される。
【００１９】
また、分電盤１には、リミッタ１１と主幹ブレーカ１２との間において電圧線Ｌ１，Ｌ２それぞれを流れる電流を検出する２個のカレントトランスＣＴ１，ＣＴ２が設けてあり、カレントトランスＣＴ１，ＣＴ２で検出した電流の瞬時値と電圧線Ｌ１・中性線Ｎ間、電圧線Ｌ２・中性線Ｎ間それぞれの線間電圧の瞬時値とを用いて電力を求める信号変換回路２１（図５参照）を有する上記電力検出器２０が設けられている。なお、図３及び図４に示すように、各カレントトランスＣＴ１，ＣＴ２は、それぞれ電線（例えば、ＡＷＧ用電線）１６，１６を介して電力検出器２０に接続されている。
【００２０】
信号変換回路２１は、図５に示す構成を有するものであり、各カレントトランスＣＴ１，ＣＴ２により検出した各電流値それぞれと上記各線間電圧それぞれととの積を求める２つの乗算器２４ａ，２４ｂと、乗算器２４ａ，２４ｂの出力値を加算する加算器２５と、加算器２５の出力を平滑化する積分器２６と、積分器２６の出力電圧を当該出力電圧に応じた周波数の矩形波信号に電圧−周波数変換して出力するＶ／Ｆコンバータ２７とを備えている。
【００２１】
Ｖ／Ｆコンバータ２７から出力される矩形波信号は３芯ケーブル１５の信号線Ｌｓ及び接地線Ｌａを介して表示器３０へ伝送される。また、電力検出器２０は、電圧線Ｌ１・中性線Ｎ間の線間電圧から信号変換回路２１用の直流電圧を得る電源回路２８を備え、電源回路２８は３芯ケーブル１５の電源線Ｌｅ及び接地線Ｌａを介して表示器３０へも電源供給するようになっている。
【００２２】
表示器３０は、図１に示す構成を有するものであり、電力検出器２０のＶ／Ｆコンバータ２６からの矩形波信号を周波数−電圧変換するＦ／Ｖコンバータ３９と、使用電力の目標値とする目標電力及び積算電力量の目標とする目標積算電力量などの各種データを記憶する記憶部３６と、Ｆ／Ｖコンバータ３９の出力に基づいて使用電力及び積算電力量を演算する演算処理部３８と、演算処理部３８により求められた使用電力（つまり、電力検出器２０により求められた使用電力）及び積算電力量及び前記目標電力及び前記目標積算電力量などを表示可能な表示部３２と、表示部３２への表示内容を選択したり各種の設定を行うための操作部３４と、現在日時を管理する時計部３７と、使用電力量と積算電力量とのうちの少なくとも一方がそれぞれの目標値を越えた時に外部報知を行う発光ダイオード（警告ＬＥＤ）よりなる報知部３３と、異常時や商用電源の停電時に電源を供給するバックアップ用電源回路３５とを備えている。ここにおいて、演算処理部３８は、Ｆ／Ｖコンバータ３９の出力や記憶部３６から読み出したデータに適宜演算を行い演算結果を表示部３２に表示させるものである。なお、演算処理部３８は、Ｆ／Ｖコンバータ３９の出力及び時計部３７の出力に基づいて積算電力量を求める（つまり、電力検出器２０により検出された使用電力を積算して積算電力量を求める）積算手段を備えている。
【００２３】
表示器３０は、図２に示す外観を有し、大角連用形の配線器具における２連モジュール寸法（３個モジュール寸法の２倍幅であって２個用のスイッチボックスに１個取り付けることができる寸法）の器体３１が用いられている。つまり、埋込型の配線器具と同様に取付枠を用いて取付施工がなされるものであり、取付枠をスイッチボックスに固定することによって壁面に取り付けたり、取付枠を壁面に木ねじで直付けしたり、壁パネルに設けた取付孔の周部を取付枠に引っ掛けた挟み金具と取付枠との間で挟持したりするなどの施工方法が採用可能となっている。この取付枠はＪＩＳ規格により規格化されているものを流用する。ここにおいて、図２には、上記取付枠に表示器３０の器体３１を取着して該取付枠の前面側に埋込型の配線器具用のプレート５０を装着した状態の外観を示してある。プレート５０は、上記取付枠にプレートねじ（図示せず）を用いて取り付けられる矩形枠状のプレート枠５２と、２連モジュール寸法の埋込型の配線器具の前面（ここでは、器体３１の前面）を露出させる開口窓５１ａを有しプレート枠５２の前面を覆う形でプレート枠５２に取り付けられる化粧プレート枠５１とで構成されている。
【００２４】
上述した表示器３０は、分電盤１とは別に壁面に取り付けることができるものであるから、住宅内の任意の場所に設置することが可能であって、使い勝手がよい。
【００２５】
表示器３０の器体３１の前面には、上記表示部３２、現在日時や各種データなどの各設定項目を設定したり選択する際に用いる設定送りスイッチＳＷ１、各設定項目の数値を増加させる数値増加設定スイッチＳＷ２、各設定項目の数値を減少させる数値減少設定スイッチＳＷ３が設けられている。また、器体３１の前面には、表示部３２の表示を切り替える第１の表示切替スイッチＳＷ４、表示部３２の表示を切り替える第２の表示切替スイッチＳＷ５、上記報知部３３を構成する発光ダイオード（以下、警告用ＬＥＤと称す）の前方に配置された透光部３３ａも設けてある。なお、上記操作部３４は、上記スイッチＳＷ１〜ＳＷ５により構成されている。また、本実施形態では、設定送りスイッチＳＷ１と数値増加設定スイッチＳＷ２と数値減少設定スイッチＳＷ３とで、目標電力及び目標積算電力量を設定する設定手段を構成している。
【００２６】
以下、表示器３０の演算処理部３８の動作について図６を参照しながら説明する。
【００２７】
電源が投入されると（Ｓ１）、演算処理部３８は表示部３２に時計設定用の表示を行わせる（Ｓ２）。上記操作部３４の操作により現在日時の設定（時計設定）が終了すると（Ｓ３）、使用電力（瞬時電力）の演算を行い（Ｓ４）、続いて積算電力量の演算を行う（Ｓ５）。その後、データ設定処理（Ｓ６）、データ保存処理（Ｓ７）、データ比較処理（Ｓ８）、データ表示処理（Ｓ９）が順次行われ、Ｓ４に戻る。
【００２８】
ここにおいて、データ設定処理（Ｓ６）では図７に示す処理が行われる。
【００２９】
すなわち、演算処理部３８は、操作部３４からの出力を監視することにより目標電力の設定を許可するか否かを判断し（Ｓ６２）、目標電力の設定を許可した場合には操作部３４の操作により目標電力が設定され（Ｓ６２）、設定が完了すると（Ｓ６３）、操作部３４からの出力を監視することにより目標積算電力量の設定を許可するか否かを判断する（Ｓ６４）。目標積算電力量の設定を許可した場合には、時計部３４の出力に基づいて電力検出開始後１年以上経過しているか否かを判別し（Ｓ６５）、電力検出開始後１年以上経過しているときには前年同月の積算電力量（前年同月の積算電力量があらかじめ記憶部３６に記憶されている）を目標積算電力量の初期値として表示部３２へ表示させる（Ｓ６７）。一方、Ｓ６５において電力検出開始後１年未満のときには前月実績（前月の積算電力量があらかじめ記憶部３６に記憶されている）を目標積算電力量の初期値として表示部３２へ表示させる（Ｓ６６）。そして、Ｓ６６又はＳ６７により目標積算電力量が表示部３２に表示された状態で目標積算電力量が初期値から変更（この変更は操作部３４の操作により行われる）されたか否かが判断され（Ｓ６８）、初期値から変更された場合には目標積算電力量が変更され（Ｓ６９）、設定を完了させる（Ｓ１６１）。Ｓ６８において初期値から変更なしと判断された場合には設定を完了させる（Ｓ１６１）。
【００３０】
また、データ保存処理（Ｓ７）では図８に示す処理が行われる。
【００３１】
すなわち、演算処理部３８は時計部３７の出力に基づいて積算手段による積算開始時点から１ヶ月が経過したか否かを判断し（Ｓ７１）、１ヶ月が経過したときに積算手段による積算電力量をリセットさせるとともに過去データとして記憶部３６に保存させる（Ｓ７２）。データ設定が完了したか否かが判断され（Ｓ７３）、データ設定が完了したときには、目標電力を記憶部３６に保存させ（Ｓ７４）、目標積算電力量を記憶部３６に保存させる（Ｓ７５）。なお、本実施形態では、演算処理部３８が積算手段による積算電力量を１ヶ月経過毎にリセットさせる処理手段を構成しており、記憶部３６に過去２４ヶ月間の積算電力量を月毎に記憶させるようになっている。
【００３２】
また、データ比較処理（Ｓ８）では図９に示す処理が行われる。
【００３３】
すなわち、演算処理部３８は、使用電力と目標電力との比較を行い（Ｓ８１）、使用電力が目標電力を越えている場合には報知部３３の警告ＬＥＤを点灯させる（Ｓ８２）。また、積算電力量と目標積算電力量との比較を行い（Ｓ８３）、積算電力量が目標積算電力量を越えている場合には報知部３３の警告ＬＥＤを点灯させる（Ｓ８４）。また、月間の積算電力量の目安から現時点までの積算目安電力量を演算して求め（Ｓ８５）、積算電力量と積算目安電力量との比較を行う（Ｓ８６）。そして、積算電力量が積算目安電力量を越えている場合には報知部３３の警告ＬＥＤを点灯させる（Ｓ８７）。一方、積算電力量が積算目安電力量を越えていない場合にはデータ比較を終了する。
【００３４】
また、データ表示処理（Ｓ９）では図１０に示す処理が行われる。
【００３５】
演算処理部３８は、操作部３４の操作などにより表示モードが決定され（Ｓ９１）、該決定された表示モードに応じて表示部３２へ、Ｓ９２のように使用電力及び目標電力を同時に表示させたり（電力表示モード）、Ｓ９４のように積算電力量及び目標積算電力量を同時に表示させたり（積算電力表示モード）、Ｓ９５のように積算電力量及び積算目安電力量を表示させたり、Ｓ９６のように過去の積算電力量を表示させたり（過去データ表示モード）、Ｓ９７のように現在日時を時計表示させたり（時計表示モード）する。
【００３６】
次に、表示部３２の表示状態の切り替わりについて図１１を参照しながら説明する。
【００３７】
電源が投入されると（Ｓ２１）、まず、現在日時設定を行うための表示がなされる（Ｓ２２）。そして、現在日時の設定が終了すると表示部３２に現在日時が表示される（Ｓ２３）。
【００３８】
その後、第１の表示切替スイッチＳＷ４を押すと、現在の使用電力（瞬時電力）及び目標電力が同時に表示され（Ｓ２４）、次に、第１の表示切替スイッチＳＷ４を押すと、今月の現時点での積算電力量及び目標積算電力量が同時に表示され（Ｓ２５）る。さらにその後、第１の表示切替スイッチＳＷ４を押すと、今月の現時点での積算電力量及び月間の積算目安電力量が表示され（Ｓ２６）、続いて第１の表示切替スイッチＳＷ４を押すと、目標積算電力量及び目標積算電力量に対する現在までの積算電力量の割合が同時に表示され（Ｓ２７）、次に第１の表示切替スイッチＳＷ４を押すと、現在日時の表示（Ｓ２３）に戻る。つまり、第１の表示切替スイッチＳＷ１を押すことにより次の表示モードへ移行するようになっており、第１の表示切替スイッチＳＷ１が表示モードを選択する選択手段を構成している。ただし、Ｓ２５，Ｓ２６，Ｓ２７の表示がされている状態で２分間以上にわたって操作部３４が操作されない場合には、Ｓ２４の表示モードへ戻るようになっている。ここにおいて、Ｓ２６の積算目安電力量は、演算処理部３８により構成される上記処理手段に設けられる演算手段により求められる。この演算処理手段は、時計部３７及び記憶部３６の出力に基づいて前年同月の積算電力量から該前年同月における１時間当たりの電力量を求め、該電力量に前年同月の同日同時間までの時間を乗じた値を積算目安電力量として求める。
【００３９】
なお、現在日時が表示されている状態（Ｓ２３）で設定送りスイッチＳＷ１を所定時間（２秒）以上押すと、現在日時設定を行うための表示がなされる（Ｓ２２）。また、現在の使用電力及び目標電力が同時に表示されている状態（Ｓ２４）で設定送りスイッチＳＷ１を押すと、目標電力を設定するための表示がなされ（Ｓ２８）、目標電力を設定するための表示がされている状態（Ｓ２８）で設定送りスイッチＳＷ１を押すと現在の使用電力及び目標電力の表示状態（Ｓ２４）に戻る。また、（Ｓ２３〜Ｓ２７）が表示されている状態で第２の表示切替スイッチＳＷ５を押すと積算電力量の過去のデータが表示され（Ｓ２９）、過去の積算電力量が表示されている状態（Ｓ２９）で第１の表示切替スイッチＳＷ４を押すと前回表示していた状態に戻る。また、今月の現時点での積算電力量及び月間の積算目安電力量（目標積算電力量）が表示されている状態（Ｓ２６）で設定送りスイッチＳＷ１を押すと月間の目標積算電力量を設定するための表示がなされ（Ｓ３０）、目標積算電力量を設定するための表示がされている状態（Ｓ３０）で設定送りスイッチＳＷ１を押すと今月の現時点での積算電力量及び月間の積算目安電力量が表示されている状態（Ｓ２６）に戻る。
【００４０】
なお、Ｓ２７のように目標積算電力量及び目標積算電力量に対する現在までの積算電力量の割合が同時に表示される表示モードを割合表示モードと称す。
【００４１】
以下、表示器３０における表示部３２の表示状態について図１２〜図３１を参照しながら説明する。なお、表示部３２は数値表示がセグメント式のものであり、表示している情報の種別は、上欄に設けた種別表示領域Ｄ１又は下欄に設けた種別表示領域Ｄ３に文字で表示され、数値は数値表示領域Ｄ２又はＤ４に表示される。また、数値表示領域Ｄ２，Ｄ４に表示されている数字のうち白抜きの数字は当該数字が点滅していることを示している。
【００４２】
まず、現在日時を設定する際の表示部３２の表示について説明するが、ここでは、一例として電源投入後に図１２に示すような日時「９９年７月２２日８時３分」を表示させる場合について説明する。
【００４３】
電源が投入されると、図１３（ａ）にような表示が行われ、年の数値「９９」が点滅する。ここで、設定送りスイッチＳＷ１を押すと、図１３（ｂ）のように月の数値「１」が点滅するので、数値増加設定スイッチＳＷ２，数値減少設定スイッチＳＷ３を適宜操作することにより、図１３（ｃ）のように月の数値を「７」に合わせる。そして、設定送りスイッチＳＷ１を押すと、図１３（ｄ）のように日の数値「１」が点滅するので、数値増加設定スイッチＳ２，Ｓ３を適宜操作することにより、図１３（ｅ）のように日の数値を「２２」に合わせる。そして、設定送りスイッチＳＷ１を押すと、図１３（ｆ）のように時の数値「０」が点滅するので、数値増加設定スイッチＳＷ２，数値減少設定スイッチＳＷ３を適宜操作することにより、図１４（ａ）のように時の数値を「８」に合わせる。そして、設定送りスイッチＳＷ１を押すと、図１４（ｂ）のように分の数値「００」が点滅するので、数値増加設定スイッチＳ２，数値減少設定スイッチＳ３を適宜操作することにより、図１４（ｃ）のように分の数値を「０３」に合わせる。そして、設定送りスイッチＳＷ１を２秒以上継続して押すことにより、図１５（ａ）のように年、月、日、時、分の全てが確定した状態になり、第１の表示切替スイッチＳＷ４を押すことにより、図１６のように現在の使用電力が数値表示領域Ｄ２に表示されるとともに、目標電力が数値表示領域Ｄ４に表示される。
【００４４】
一方、図１４（ｃ）のように分の数値を「０３」に合わせた後に、設定送りスイッチＳＷ１を２秒よりも短い時間だけ押すと、図１５（ｂ）のように年の数値「９９」が点滅する。要するに、設定送りスイッチＳＷ１を２秒よりも短い時間だけ押すことにより、年、月、日、時、分の各設定項目が順に選択される。また、月、日、時、分のいずれかの数値が点滅している状態においても設定送りスイッチＳＷ１を２秒以上押すことにより、日時が確定される。
【００４５】
次に、現在日時を変更する場合の表示部３２の表示について説明するが、ここでは、一例として「９９年７月２２日８時３分」を「９９年８月２日９時８分」に変更する場合について説明する。
【００４６】
図１７（ａ）にような表示がされた状態で設定送りスイッチＳＷ１を２秒以上押すと、図１７（ｂ）のように年の数値「９９」が点滅する。ここで、設定送りスイッチＳＷ１を押すと、図１７（ｃ）のように月の数値「７」が点滅するので、数値増加設定スイッチＳＷ２，数値減少設定スイッチＳＷ３を適宜操作することにより、図１７（ｄ）のように月の数値を「８」に合わせる。そして、設定送りスイッチＳＷ１を押すと、図１７（ｅ）のように日の数値「２２」が点滅するので、数値増加設定スイッチＳＷ２，数値減少設定スイッチＳＷ３を適宜操作することにより、図１７（ｆ）のように日の数値を「２」に合わせる。そして、設定送りスイッチＳＷ１を押すと、図１８（ａ）のように時の数値「８」が点滅するので、数値増加設定スイッチＳＷ２，数値減少スイッチＳＷ３を適宜操作することにより、図１８（ｂ）のように時の数値を「９」に合わせる。そして、設定送りスイッチＳＷ１を押すと、図１８（ｃ）のように分の数値「０３」が点滅するので、数値増加設定スイッチＳ２，数値減少設定スイッチＳ３を適宜操作することにより、図１８（ｄ）のように分の数値を「０８」に合わせる。そして、設定送りスイッチＳＷ１を２秒以上継続して押すことにより、図１８（ｅ）のように年、月、日、時、分の全てが確定した状態になり、第１の表示切替スイッチＳ４を押すことにより、上記図１６のように現在の使用電力が数値表示領域Ｄ２に表示されるとともに、目標電力が数値表示領域Ｄ４に表示される。
【００４７】
次に、現在の使用電力及び目標電力の表示例について図１９を参照しながら説明する。使用電力及び目標電力が表示される電力表示モードでは、図１９のように、表示部３２の上欄の種別表示領域Ｄ１に「現在電気使用量」という文字が表示され、上欄の数値表示領域Ｄ２に現在の使用電力が表示される。また、表示部３２の下欄の種別表示領域Ｄ２に「おやすみ時使用量目安」の文字が表示され、下欄の数値表示領域Ｄ４に目標電力が表示される。
【００４８】
ここに、目標電力（おやすみ時使用量目安）を設定する場合の表示部３２の表示例について説明するが、ここでは、目標電力を「１．２ＫＷ」から「１．４ＫＷ」に変更する場合について説明する。
【００４９】
図２０（ａ）のように数値表示領域Ｄ２に使用電力が表示されるとともに数値表示領域Ｄ４に目標電力が表示された状態で設定送りスイッチＳＷ１を２秒以上押すと、図２０（ｂ）のように数値表示領域Ｄ４に表示されている数値「１．２」が点滅する。ここで、数値増加設定スイッチＳＷ２を押し続けると数値表示領域Ｄ２に表示される数値が連続的に増加し、数値表示領域Ｄ４に例えば図２０（ｃ）のように数値「２．０」が点滅し、数値減少設定スイッチＳＷ３を押し続けると数値が連続的に減少し、数値表示領域Ｄ４に例えば図２０（ｄ）のように数値「１．５」が点滅する。そして、数値減少設定スイッチＳＷ３を１回押すことにより、図２０（ｅ）のように数値「１．４」が点滅する。そして、設定送りスイッチＳＷ１を２秒以上押すことにより、図２１のように現在の使用電力及び目標電力が同時に表示されるとともに目標電力が「１．４ＫＷ」に確定する。
【００５０】
また、図２２及び図２３は、今月の現時点での積算電力量及び目標積算電力量が同時に表示される場合の表示例を示したものである。ここに、図２２は演算処理部３８による電力検出を開始した月の翌々月以降であって目標積算電力量が設定されている場合の表示例であり、種別表示領域Ｄ１に「今月電気使用量」の文字が表示され、数値表示領域Ｄ２に今月の現時点までの積算電力量の数値「１４６」が表示され、種別表示領域Ｄ３に「今月現在使用量目安」の文字が表示され、数値表示領域Ｄ４に今月の現時点までの目標積算電力量の数値「１７８」が表示される。ここにおいて、数値表示領域Ｄ４には、演算処理部３８による電力検出を開始して３ヶ月目から１２ヶ月目までは当月の１ヶ月前の積算電力量が表示され、演算処理部３８による電力検出を開始して１３ヶ月目からは１年前の同月の積算電力量が表示される。図２２の表示状態では、２分間以上にわたって上記スイッチＳＷ１〜ＳＷ５が操作されないと、自動で現在の使用電力及び目標電力が表示される電力表示モードへ移行し、図２２の表示状態で第１の表示切替スイッチＳＷ４を押すと、次の表示モードへ移行する。
【００５１】
また、図２３は演算処理部３８による電力検出を開始した月及び翌月以降であって目標電力が設定されていない場合の表示例であり、種別表示領域Ｄ１に「今月電気使用量」の文字が表示され、数値表示領域Ｄ２に今月の現時点での積算電力量の数値「１４６」が表示され、種別表示領域Ｄ３に「今月現在使用量目安」の文字が表示され、数値表示領域Ｄ４に数値「０」が表示される。図２３の表示状態では、２分間以上にわたって上記スイッチＳＷ１〜ＳＷ５が操作されないと、自動で現在の使用電力及び目標電力が表示される電力表示モードへ移行し、図２３の表示状態で第１の表示切替スイッチＳＷ４を押すと、次の表示モードへ移行する。
【００５２】
また、図２４及び図２５は、当月の現時点での積算電力量及び当月の１ヶ月間の目標積算電力量が同時に表示される場合の表示例を示したものである。図２４は演算処理部３８による電力検出を開始した月の翌々月以降であって１ヶ月の目標積算電力量が設定されている場合の表示例であり、種別表示領域Ｄ１に「今月現在電気使用量」の文字が表示され、数値表示領域Ｄ２に今月の現時点までの積算電力量の数値「１４６」が表示され、種別表示領域Ｄ３に「今月月間使用量目安」の文字が表示され、数値表示領域Ｄ４に当月の１ヶ月の目標積算電力量の数値「４７８」が表示される。ここにおいて、数値表示領域Ｄ４には、演算処理部３８による電力検出を開始して３ヶ月目から１２ヶ月目まではその月の１ヶ月前の１ヶ月間の積算電力量が表示され、演算処理部３８による電力検出を開始して１３ヶ月目からは１年前の同月の１ヶ月間の積算電力量が表示される。図２４の表示状態では、２分間以上にわたって上記スイッチＳＷ１〜ＳＷ５が操作されないと、自動で現在の使用電力及び目標電力が表示される電力表示モードへ移行し、また、第１の表示切替スイッチＳＷ４を押すと、次の表示モードへ移行する。また、設定送りスイッチＳＷ１を２秒以上押すと、今月の目標積算電力量を設定するための表示へ移行する。
【００５３】
また、図２５は演算処理部３８による電力検出を開始した月及び翌月であって目標積算電力量が設定されていない場合の表示例であり、種別表示領域Ｄ１に「今月電気使用量」の文字が表示され、数値表示領域Ｄ２に今月の現時点までの積算電力量の数値「１４６」が表示され、種別表示領域Ｄ３に「今月月間使用量目安」の文字が表示され、数値表示領域Ｄ４に数値「０」が表示される。図２５の表示状態では、２分間以上にわたって上記スイッチＳＷ１〜ＳＷ５が操作されないと、自動で現在の使用電力及び目標電力が表示される電力表示モードへ移行し、また、第１の表示切替スイッチＳＷ４を押すと、次の表示モードへ移行する。
【００５４】
ところで、図２６（ａ）のように今月の現時点での積算電力量（１８６ｋＷｈ）が今月現時点までの目標積算電力量（１７８ｋＷｈ）を越えると、報知部３３を構成する警告ＬＥＤが点灯して発光表示部３３ａによる報知がなされる（図２６（ａ）において発光表示部３３ａにハッチングを施しているのは警告ＬＥＤが点灯していることを示す）。ただし、目標積算電力量が設定されていない場合には、電源投入が投入した月の翌々月からこのような報知が可能となる。
【００５５】
図２６（ａ）のように発光表示部３３ａにより報知がなされた状態（警告ＬＥＤが点灯した状態）で、第２の表示切替スイッチＳＷ５を押すと、図２６（ｂ）のように警告ＬＥＤが消灯して発光表示部３３ａによる報知がない状態へ移行する。ただし、翌日の午前６時以降に積算電力量が目標積算電力量を越えていれば警告ＬＥＤが再点灯する。
【００５６】
また、図２７（ａ）のように表示部３２に現在の使用電力及び目標電力が表示された状態で、第２の表示切替スイッチＳＷ５を押すと、図２７（ｂ）のように過去の積算電力量が表示される。すなわち、種別表示領域Ｄ１に「過去月間電気使用量」の文字が表示され、数値表示領域Ｄ２に１ヶ月前の１ヶ月間の積算電力量の数値「４９９」が表示され、数値表示領域Ｄ４に前月の年、月それぞれの数値「９９」、「６」が表示される。また、図２７（ｂ）の表示状態で第１の表示切替スイッチＳＷ４を押すと、図２７（ａ）のような現在の使用電力及び目標電力が同時に表示された状態に戻るが、２分間以上にわたって上記スイッチＳＷ１〜ＳＷ５が操作されないと、自動で現在の使用電力及び目標電力が表示される電力表示モードへ移行する。
【００５７】
ところで、上述の第２の表示切替スイッチＳＷ５を操作することにより、過去２４ヶ月の各月の月間の積算電力量を表示させることができるようになっている。いま現在が９９年７月とすると、図２８（ａ）のように１ヶ月前（９９年６月）の月間の積算電力量が表示された状態で、第２の表示切替スイッチＳＷ５を押すと、図２８（ｂ）のように２ヶ月前の月間の積算電力量が表示され、さらに第２の表示切替スイッチＳＷ５を押すと、図２８（ｃ）のように３ヶ月前の月間の積算電力量が表示される。同様にして第２の表示切替スイッチＳＷ５を押す度に表示されている前の月の月間の積算電力量が表示され、図２８（ｄ）のように２４ヶ月前（９８年８月）の月間の積算電力量が表示された状態で、第２の表示切替スイッチＳＷ５を押すと、図２８（ｅ）のように１ヶ月前（９９年６月）の月間の積算電力量が表示された状態に戻る。
【００５８】
次に、月間の目標積算電力量を設定する場合の表示例について説明する。
【００５９】
いま、図２９（ａ）のように今月の現時点の積算電力量及び月間の目標積算電力量が表示されている状態で設定送りスイッチＳＷ１を２秒以上押すと、図２９（ｂ）のように種別表示領域Ｄ３に「月間使用量目安」の文字が表示され、数値表示領域Ｄ４に１ヶ月前の積算電力量の数値「４５０」が表示される。
【００６０】
ここにおいて、月間の目標積算電力量を設定する際の表示部３２の表示例について説明する。
【００６１】
図３０（ａ）のように数値表示領域Ｄ２に月間の目標積算電力量が表示された状態で、設定送りスイッチＳＷ１を２秒以上押すと、図３０（ｂ）のように数値表示領域Ｄ４の数値「４５０」が点滅し、その後、数値増加設定スイッチＳＷ２を押し続けることにより数値表示領域Ｄ４の数値が連続的に増加し（数値減少設定スイッチＳＷ３を押し続ければ数値が連続的に減少する）、数値表示領域Ｄ４に例えば図３０（ｃ）のように数値「４５９」が点滅する。さらに、数値増加設定スイッチＳＷ２を押し続けることにより数値表示領域Ｄ４の数値が連続的に増加し、数値表示領域Ｄ４に例えば図３０（ｄ）のように数値「４９８」が点滅する。その後、数値増加設定スイッチＳＷ２を２回押すことにより数値表示領域Ｄ４の数値が２だけ増加して、図３０（ｅ）のように数値「５００」が点滅する。そして、設定送りスイッチＳＷ１を２秒以上押すことにより、図３１のように今月の現時点での積算電力量が数値表示領域Ｄ２に表示されるとともに今月の月間の目標積算電力量の数値が「５００」で確定して数値表示領域Ｄ４に表示される。この図３１の表示状態で２分間以上にわたって上記スイッチＳＷ１〜ＳＷ５が操作されないと、自動で現在の使用電力及び目標電力が表示される電力表示モードへ移行する。
【００６２】
以上説明した本実施形態の電力監視システムでは、表示器３０を分電盤１とは別に屋内に配設することで、使用電力及び積算電力量及び目標電力及び目標積算電力量を屋内で視認することができるので、需要家がリアルタイムで使用電力と目標電力とを比較したり、積算電力量と目標積算電力量とを比較することができ、使用電力や積算電力量がそれぞれの目標値に対して多いか否かを需要家が容易に判別することができ、省エネルギ化を推進しやすくなる。例えば、睡眠時の使用電力を目標電力として設定しておき、次の日の睡眠時に確認することにより、電気の消し忘れなどを発見することができる。
【００６３】
ここに、表示器３０には、目標電力及び目標積算電力量を設定する上記設定手段が設けられているので、目標電力及び目標積算電力量を需要家が適宜設定することができる。したがって、使用電力や積算電力量が多い月と少ない月とで目標値を容易に設定変更することができる。
【００６４】
しかも、本実施形態における表示部３０には、使用電力と目標電力とが同時に表示され、また、積算電力量と目標積算電力量とが同時に表示されるので、目標値と実績との比較が容易になる。また、表示器３０へ割合表示モードで表示させることで、表示部３０へ目標積算電力量に対する積算電力量の割合及び積算電力量が表示されるから、現在の積算電力量が目標積算電力量に対してどの位に達しているのか需要家が容易に判別することができる。
【００６５】
また、本実施形態では、上記積算手段による積算電力量が積算開始時点から１ヶ月経過毎にリセットされるので、１ヶ月単位での積算電力量を需要家が簡単に知ることができる。しかも、１ヶ月単位での過去の積算電力量を表示部３２に表示することができるので、積算電力量に関して現在の月と過去の月との比較を需要家が容易に行うことができる。また、積算手段のリセット前の積算電力量をリセット後の目標積算電力量として記憶部３６に記憶させることにより、前月の積算電力量を当月の積算電力量の目安とすることができる。また、上記処理手段では、上記積算手段をリセットさせる際に、前年同月の積算電力量をリセット後の目標積算電力量として設定することにより、前年同月の積算電力量を当月の積算電力量の目安とすることができる。また、演算手段により求められた積算目安電力量を目標積算電力量として表示部３２へ表示させることができるので、例えば現在日時が４月３日午後３時の場合には、前年の４月１日から４月３日午後３時までの積算目安電力量が目標積算電力量として表示されるから、現在時点での積算電力量と目標積算電力量との比較が容易になる。
【００６６】
また、使用電力が目標電力を越えた状態、積算電力量が目標積算電力量を越えた状態の少なくとも一方の状態になると報知部３３による報知が行われるから、使用電力や目標積算電力量がそれぞれの目標値を越えたことを需要家が容易に認識することができ、需要家が省エネルギ化を推進しやすくなる。
【００６７】
【発明の効果】
請求項１の発明は、分電盤内に配設されて負荷の使用電力を検出する電力検出手段と、分電盤とは別に配設される表示器とを備え、前記表示器は、電力検出手段により検出された使用電力を積算して積算電力量を求める積算手段と、使用電力の目標値とする目標電力及び積算電力量の目標値とする目標積算電力量を記憶する記憶部と、電力検出手段により検出された使用電力及び積算手段により求められた積算電力量及び前記目標電力及び前記目標積算電力量を表示可能な表示部とを有するものであり、表示器を分電盤とは別に屋内に配設すれば使用電力及び積算電力量及び目標電力及び目標積算電力量を屋内で視認することができるので、需要家がリアルタイムで使用電力と目標電力とを比較したり、積算電力量と目標積算電力量とを比較することができ、使用電力や積算電力量がそれぞれの目標値に対して多いか否かを需要家が容易に判別することができるという効果がある。
また、請求項１の発明は、前記表示器が、現在日時の管理を行う時計部と、時計部の出力に基づいて積算手段を積算開始時点から１ヶ月経過毎に積算電力量をリセットさせる処理手段とを備えるので、１ヶ月単位での積算電力量を需要家が簡単に知ることができるという効果がある。
また、請求項１の発明は、前記処理手段が、積算手段で求められた積算電力量を１ヶ月単位で記憶部に記憶させるとともに、記憶部に記憶された過去の積算電力量を表示部に適宜表示させるので、１ヶ月単位での過去の積算電力量を表示部に表示することができるから、積算電力量に関して現在の月と過去の月との比較を需要家が容易に行うことができるという効果がある。
また、請求項１の発明は、前記処理手段が、記憶部に少なくとも過去１年間の積算電力量を月毎に記憶させ、積算手段をリセットさせる際に、電力検出開始後１年未満のときには前１ヶ月間の積算電力量がリセット後の目標積算電力量として設定され、電力検出開始後１年以上のときには前年同月の積算電力量がリセット後の目標積算電力量として設定されるので、前月の積算電力量又は前年同月の積算電力量を当月の積算電力量の目安とすることができるという効果がある。
【００６８】
請求項２の発明は、請求項１の発明において、前記表示器は、目標電力及び目標積算電力量を設定する設定手段が設けられているので、目標電力及び目標積算電力量を需要家が適宜設定することができるという効果がある。
【００６９】
請求項３の発明は、請求項１または請求項２の発明において、前記表示器は、使用電力と目標電力とを表示部へ同時に表示する電力表示モードと、積算電力量と目標積算電力量とを表示部へ同時に表示する積算電力量表示モードとを有し、電力表示モードと積算電力量表示モードとを選択する選択手段を備えるので、使用電力と目標電力とが同時に表示され、また、積算電力量と目標積算電力量とが同時に表示されるので、目標値と実績との比較が容易になるという効果がある。
【００７０】
請求項４の発明は、請求項３の発明において、前記表示器は、目標積算電力量に対する積算電力量の割合及び積算電力量を表示部へ同時に表示する割合表示モードを有し、前記選択手段は、割合表示モードを選択可能なので、選択手段により割合表示モードが選択されることで、表示部へ目標積算電力量に対する積算電力量の割合及び積算電力量が表示されるから、現在の積算電力量が目標積算電力量に対してどの位に達しているのか需要家が容易に判別することができるという効果がある。
【００７６】
請求項５の発明は、請求項１乃至請求項４の発明において、前記処理手段は、時計部の出力に基づいて前年同月の積算電力量から求めた１時間当たりの電力量に前年同月の同日同時間までの時間を乗じた値を積算目安電力量として求める演算手段を備え、演算手段により求められた積算目安電力量を目標積算電力量として表示部へ表示させるので、例えば現在日時が４月３日午後３時の場合には、前年の４月１日から４月３日午後３時までの積算目安電力量が目標積算電力量として表示されるから、現在時点での積算電力量と目標積算電力量との比較が容易になるという効果がある。
【００７７】
請求項６の発明は、請求項１乃至請求項５の発明において、前記表示器は、使用電力が目標電力を越えた状態、積算電力量が目標積算電力量を越えた状態の少なくとも一方の状態になると外部へ報知する報知部が設けられているので、使用電力が目標電力を越えた状態、積算電力量が目標積算電力量を越えた状態の少なくとも一方の状態になると報知部による報知が行われるから、使用電力や目標積算電力量がそれぞれの目標値を越えたことを需要家が容易に認識することができ、需要家が省エネルギ化を推進しやすくなるという効果がある。
【図面の簡単な説明】
【図１】実施形態を示し、表示器のブロック図である。
【図２】同上の表示器の外観を示し、（ａ）は正面図、（ｂ）は下面図、（ｃ）は側面図である。
【図３】実施形態を示す電力監視システムのシステム構成図である。
【図４】同上の要部構成図である。
【図５】同上の電力検出器のブロック図である。
【図６】同上の表示器の動作説明図である。
【図７】同上の表示器の動作説明図である。
【図８】同上の表示器の動作説明図である。
【図９】同上の表示器の動作説明図である。
【図１０】同上の表示器の動作説明図である。
【図１１】同上の表示器の表示例の説明図である。
【図１２】同上の表示器の表示例の説明図である。
【図１３】同上の表示器の表示例の説明図である。
【図１４】同上の表示器の表示例の説明図である。
【図１５】同上の表示器の表示例の説明図である。
【図１６】同上の表示器の表示例の説明図である。
【図１７】同上の表示器の表示例の説明図である。
【図１８】同上の表示器の表示例の説明図である。
【図１９】同上の表示器の表示例の説明図である。
【図２０】同上の表示器の表示例の説明図である。
【図２１】同上の表示器の表示例の説明図である。
【図２２】同上の表示器の表示例の説明図である。
【図２３】同上の表示器の表示例の説明図である。
【図２４】同上の表示器の表示例の説明図である。
【図２５】同上の表示器の表示例の説明図である。
【図２６】同上の表示器の表示例の説明図である。
【図２７】同上の表示器の表示例の説明図である。
【図２８】同上の表示器の表示例の説明図である。
【図２９】同上の表示器の表示例の説明図である。
【図３０】同上の表示器の表示例の説明図である。
【図３１】同上の表示器の表示例の説明図である。
【符号の説明】
３２  表示部
３３  報知部
３４  操作部
３５  演算回路
３６  記憶部
３７  時計部
３８  演算処理部
３９  Ｆ／Ｖコンバータ
【図１】
0003671787.tif 000002
【図２】
0003671787.tif 000003
【図３】
0003671787.tif 000004
【図４】
0003671787.tif 000005
【図５】
0003671787.tif 000006
【図６】
0003671787.tif 000007
【図７】
0003671787.tif 000008
【図８】
0003671787.tif 000009
【図９】
0003671787.tif 000010
【図１０】
0003671787.tif 000011
【図１１】
0003671787.tif 000012
【図１２】
0003671787.tif 000013
【図１３】
0003671787.tif 000014
【図１４】
0003671787.tif 000015
【図１５】
0003671787.tif 000016
【図１６】
0003671787.tif 000017
【図１７】
0003671787.tif 000018
【図１８】
0003671787.tif 000019
【図１９】
0003671787.tif 000020
【図２０】
0003671787.tif 000021
【図２１】
0003671787.tif 000022
【図２２】
0003671787.tif 000023
【図２３】
0003671787.tif 000024
【図２４】
0003671787.tif 000025
【図２５】
0003671787.tif 000026
【図２６】
0003671787.tif 000027
【図２７】
0003671787.tif 000028
【図２８】
0003671787.tif 000029
【図２９】
0003671787.tif 000030
【図３０】
0003671787.tif 000031
【図３１】
0003671787.tif 000032